(57)【要約】      （修正有）【課題】ビンの蓋を加温するとパッキンの粘着力が小さくなり軽く開くことが一般的に知られている。本発明は、コードのある電熱器を使用せず、身近な台所用品を活用してビンの蓋を加温する使い勝手の良い方法を提供する。【解決手段】リング状に繋がった誘電加熱導体１を内蔵した装置を電子レンジの中に入れて一定時間通電すると誘導電流により発熱する。一定の温度または電流値を超えると膨張により誘電加熱導体の一部が離れ、電流が遮断して発熱が止まる。耐熱柔軟素材の摩擦抵抗の大きいパッドに熱が伝わり、電子レンジから取り出して一定時間蓋に密着させると蓋３の粘着力が小さくなり容易に開く状態になる。ツマミ４を摘むとツマミが内側に移動し、てこの原理で蓋を強く挟みこみ下方に押しつけて回すと、パッドの摩擦抵抗とツマミの挟み込み力とで滑ることなく蓋が開く。他の加温方法として蓄熱パッドやHIヒーターあるいは温水を用いても良い。【選択図】図１
2013082467.tif 000002
【特許請求の範囲】
【請求項１】
リング状に繋がった誘電発熱導体を蓋開け装置に内蔵し、電子レンジ内のマイクロ波によって誘導電流を発生させて誘電発熱導体を短時間で加温する方法。
【請求項２】
誘電発熱導体が一定の温度または電流を超えたときに誘電発熱導体が膨張または反り返りあるいはその両方によってリング状に繋がった誘電発熱導体の一部を切り離し、誘導電流を遮断して加温を中止する方法。
【請求項３】
本発明はさらに、リング状に繋がった誘電発熱導体の一部を切り離して誘導電流を遮断する場合は、誘電発熱導体断面に流れる渦電流を抑えて発熱量を小さくする太さと金属材料にする方法に関する。
【請求項４】
耐熱性に優れ熱伝導が良く摩擦抵抗が大きく柔らかい素材の熱伝パッドを用いて誘電発熱導体が直接蓋に接することがなく蓋を加温して、滑らずに開ける操作ができる方法。
【請求項５】
ツマミスライド溝を設けてツマミを移動して大小さまざまな蓋の寸法に対応し、ツマミを摘んだ時にてこの原理によって蓋をしっかり挟む方法。
【請求項６】
蓄熱材パッドを電子レンジで短時間加温した後に蓋に装着して加温する方法。
【請求項７】
HIヒーターの鍋検知が動作する大きさの金属板を用いてHIヒーターで加温する方法。
【請求項８】
湯を注いだ容器を蓋の上に乗せ蓋を加温する方法。
【発明の詳細な説明】
【技術分野】
【０００１】
本発明は、電熱ヒーターを使用せず、電子レンジやIHヒーターあるいは電気ポット等の台所用品で装置を加温した後にビンの蓋に装着して蓋を加温し、軽い力で蓋を開ける方法に関する。
【背景技術】
【０００２】
大小を問わず瓶詰め食材が多く出回っているが、開ける際に多大の力を必要とし、非力な子供、婦女子、老人には開けることができない場合もある。また食品メーカーにおいても蓋の開けやすい構造のビンが開発されていない。装置が小さく、装着までの時間が短く、装着後軽い力で開けることができる蓋開け器があれば、食生活の改善に貢献できる。
【０００３】
ビンの蓋開け装置については既に多く考案されているが、装置が大きい、操作行程が多い、構造が複雑、簡単構造であるが力を必要とする、等多くの解決すべき技術的課題が残されている。また、いずれの装置も蓋側に装着し、パッキンの粘着力で固着している蓋を力で開けるものであり、ビン側は素手で保持するので大きな力を必要とし、非力な人を含めた万人向きとなっていないのが現状である。
【０００４】
一方、蓋を加温すると簡単に開くことは多くの人々が周知しているが、中身を加温せずに蓋のみを加温するには複雑な作業手順を要して面倒である。例えば熱湯を満たした皿にビンを逆さに浸した後に蓋を開ける方法があるが、手間がかかる上に熱湯による火傷の恐れもあり、またビンを逆さにすることに抵抗感がある。
【０００５】
これを解決する一つの手段として、電熱ヒーターで加温する方法があるが、装置が大形となりしかもコードが邪魔になって使い勝手が損なわれる。
【先行技術文献】
【特許文献】
【０００６】
【特許文献１】特許出願２００４−２０４００５  容器の蓋開け具特許出願２００６−３５１８８９  蓋開け器具特許出願平１１−１００４５４    固定具付きビン蓋開け器
【発明の概要】
【発明が解決しようとする課題】
【０００７】
以上より、パッキンの粘着力で固着している蓋を力任せに開けるのではなく、使い勝手のよくないコードの付いている電熱器具を用いるのでもなく、手軽な方法で蓋を加温することによって粘性を小さくし、軽く開けることのできることが解決すべき課題となる。
【０００８】
したがって本願発明は、身近にある台所用品である電子レンジやIHヒーターあるいは電気ポットの湯を活用し、簡単な操作で短時間に蓋を加温して、軽い力で蓋を開けることのできる使い勝手の良い単純な構造の装置を提供することを目的としている。
【課題を解決するための手段】
【０００９】
本発明は、身近にある台所用品を用いて蓋開け装置を加温する方策によって上記の課題を解決するもので、具体的には以下の内容を含む。
【００１０】
すなわち、本発明にかかる１つの態様は、リング状に繋がった誘電発熱導体を蓋開け装置に内蔵し、電子レンジ内のマイクロ波によって誘導電流を発生させて誘電発熱導体を短時間で加温する方法に関する。
【００１１】
本発明はさらに、誘電発熱導体が一定の温度を超えたとき、または一定の電流値を超えたとき、導体が膨張または反り返りあるいはその両方によってリング状に繋がった一部を切り離し、誘導電流を遮断して加温を中止する方法に関する。
【００１２】
本発明はさらに、リングの一部を切り離して誘電発熱導体内部をリングに沿って流れる誘導電流を遮断する場合は、誘電発熱導体断面に流れる渦電流を抑えるような太さと金属材料にし、リングが切り離された場合は発熱量が小さくなる方法に関する。
【００１３】
本発明はさらに、耐熱性に優れ熱伝導が良く摩擦抵抗が大きく柔らかい素材の熱伝パッドを用いて誘電発熱導体が直接蓋に接することがなく、蓋を加温して滑ることなく開ける操作ができる方法に関する
【００１４】
本発明はさらに、ツマミスライド溝を設けて大小さまざまな蓋の寸法に対応し、ツマミを摘んだ時にてこの原理によって蓋をしっかり挟む構造をも包含している。
【００１５】
本発明はさらに、誘電発熱導体と熱伝パッドの代わりに保冷材のごとく蓄熱材パッドを用いて電子レンジで短時間加温して使うことのできる構造をも包含している。
【００１６】
本発明はさらに、誘電発熱導体の変わりに、HIヒーターの鍋検知が動作する大きさの金属板を用いてHIヒーターで短時間加温して使うことのできる構造をも包含している。
【００１７】
本発明はさらに、温水を注いだ容器を蓋の上にのせて加温する手軽な方法をも包含している。なお温水は電子レンジで加熱しても電気ポット等の湯を用いても良い。
【発明の効果】
【００１８】
本考案は、ビンの蓋を開けたい時に本装置を手に取り、電子レンジやIHヒーターあるいは電気ポットの湯で短時間加温し、ビンに被せて蓋を加温してパッキンの粘着力を低くし、ツマミをスライドさせて寸法の異なる蓋を挟んで軽く回して開けることのできる便利性を提供するものとなる。
【図面の簡単な説明】
【００１９】
【図１】本発明の実施の形態に係る、蓋開け装置を加温してビンの蓋を開ける構造、同方法の概要を示す断面図及び展開図である。
【図２】図１に示す実施の形態に係わるツマミを移動させて寸法の異なる蓋を挟み込み、てこの原理で蓋を締め付ける動作原理図である。
【図３】図１に示す実施の形態に係わる誘電発熱導体の変わりに蓄熱材パッドを用いて電子レンジで加温する動作原理図である。
【図４】図１に示す実施の形態に係わる誘電発熱導体の変わりに金属板を用いてIHヒーターで加温する動作原理図である。
【図５】図１に示す実施の形態に係わる誘電発熱導体の変わりに温水を注いで蓋を加温する動作原理図である。
【発明を実施するための形態】
【００２０】
本発明の第１の実施の形態に係る蓋開け装置を事前に加温して蓋に装着し、蓋を一定時間加温した後に開ける方法について、図面を参照して説明する。図１はその概要を示している。
【００２１】
蓋開け装置全体を電子レンジの中に入れて電源を入れるとマグネトロンからマイクロ波が照射される。誘電加熱導体１に誘導電流が発生してリング状のコイルを電流が流れて発熱する。一定の温度を超えると誘電加熱導体１が膨張あるいは反り返りまたはその両方によりリングの接点部１2が離れ、電流が遮断して発熱が止まる。耐熱性に優れ摩擦抵抗が大きく柔軟な素材の熱伝パッド２に熱が伝わり、電子レンジから取り出して一定時間蓋３に密着させると蓋３のパッキンの粘着力が低下して容易に開く状態になる。
【００２２】
図２は加温した後の寸法の異なる蓋３を開ける動作原理図である。ツマミ４を摘むとツマミスライド溝５に沿ってツマミ４が内側に移動する。蓋３に接触子６が接し更にツマミ４に力を加えるとツマミ先端４１が更に内側に移動する。ツマミ４と接触子６は一体であり軸４２が支点となりてこの原理で接触子６が蓋３を強く挟みこむ。ツマミ４を挟みながら装置本体を下方に押しつけて回すと、熱伝パッド２の摩擦抵抗と接触子６の挟み込み力とで滑ることなく蓋３が開く。
【００２３】
図３は誘電発熱導体１の変わりに蓄熱材パッド７を用いて電子レンジで加温する動作原理図である。蓋開け装置全体を電子レンジの中に入れて電源を入れると蓄熱材パッド７が加温される。電子レンジから取り出して一定時間蓋３に密着させると蓋３の粘性が低下して容易に開く状態になる。ツマミ４の動作原理は図２と同じである。
【００２４】
図４は誘電発熱導体１の変わりに金属板８を用いてIHヒーターで加温する動作原理図である。蓋開け装置全体をIHヒーターの上に置き電源を入れると金属板８が加温される。IHヒーターから取り外して一定時間蓋３に密着させると蓋３の粘性が低下して容易に開く状態になる。ツマミ４の動作原理は図２と同じである。
【００２５】
図５は更に簡素な装置であり容器９に温水を満たして蓋３を加温する原理図である。容器９の水を電子レンジで加温してもよいが身近の電気ポット等の温水を注いでも良い。容器の底１０は薄く柔らかい素材であり蓋３に密着させて一定時間蓋３を加温した後に手で直接蓋３を回して開ける。
【産業上の利用可能性】
【００２６】
パッキンの粘着力で固着したビンの蓋を力で開けるのではなく、身近な台所用品である電子レンジ又は電気ポット等を利用して蓋を加温し、軽い操作で蓋を開けることができ、使い勝手及び便利性を増すことができる。
【符号の説明】
【００２７】
１．誘電加熱導体、１２ ．リングの接点部、３．蓋、４．ツマミ、４１．ツマミ先端、４２．軸、５．ツマミスライド溝、６．接触子、７．蓄熱材パッド、８．金属板、９・容器、１０．容器の底。
【図１】
2013082467.tif 000003
【図２】
2013082467.tif 000004
【図３】
2013082467.tif 000005
【図４】
2013082467.tif 000006
【図５】
2013082467.tif 000007